(57)【要約】  植物に植物生長促進剤を与えて、低照度条件下において植物を栽培する低照度栽培方法であって、前記植物生長促進剤が、クエン酸、リンゴ酸、コハク酸からなる群から少なくとも１つ選択されるものを含む低照度栽培方法。【特許請求の範囲】
【請求項１】
植物に植物生長促進剤を与えて、低照度条件下において植物を栽培する低照度栽培方法であって、
前記植物生長促進剤が、クエン酸、リンゴ酸、コハク酸からなる群から少なくとも１つ選択されるものを含む低照度栽培方法。
【請求項２】
前記植物生長促進剤にさらに糖類を含有させてある請求項１に記載の低照度栽培方法。
【請求項３】
前記糖類が、ブドウ糖、果糖、トレハロース、ショ糖からなる群から少なくとも１つ選択される請求項２に記載の低照度栽培方法。
【請求項４】
請求項１〜３のいずれか１項に記載される低照度栽培方法において使用可能な植物生長促進剤。
【発明の詳細な説明】
【技術分野】
【０００１】
本発明は、植物に植物生長促進剤を与えて、低照度条件下において植物を栽培する低照度栽培方法に関する。
【背景技術】
【０００２】
植物の生育に必要とされる基本的な環境因子としては、光、水、温度、土壌などが挙げられる。植物は、これらの条件が全てバランス良く充足されることにより、その生育が維持・促進される。従って、これら諸条件のうちのいずれか一つでも不足しているような条件下においては、植物は何らかのストレスを受け、その生育が阻害され得る。
中でも、光合成を行う植物にとっては、光（日照条件）は特に重要な環境因子であり、日照不足などにより十分な光が得られないと植物は弱光ストレスを受ける。例えば、観葉植物や鉢植えの花木は、インテリアとして屋内等に持ち込まれる機会が多いので、日照不足による弱光ストレスを受け易い。
そこで、こうした植物の弱光ストレスを低減するための方法の一つとして、５-アミノレブリン酸及びその塩（以下、５−ＡＬＡと称する）を与えて植物を栽培する方法が提案されている（特許文献１参照）。
【特許文献１】特開平７−１８４４７９号公報
【発明の開示】
【発明が解決しようとする課題】
【０００３】
５−ＡＬＡは、アミノ酸の一種であり、植物ではクロロフィル（葉緑素）の原料となる化合物である。従って、おそらく、植物に５−ＡＬＡを与えることによって、植物体内でのクロロフィルの合成が促進され、光エネルギーの吸収効率が上がるために低照度条件下における弱光ストレスが低減されるものと考えられる。
しかしながら、低照度条件下において植物が受けるストレスは、弱光ストレスのみに限られない場合も多い。例えば、冬の間、新鮮な空気に触れることなく、室内にこもりっきりだった観葉植物や鉢植えの花木等の場合、鉢内の土が蒸れて、雑菌やカビ（有害微生物）が繁殖し易くなり、そうした有害微生物が媒体となり、植物が様々な病気（例えば、立ち枯れ病など）にかかってしまう虞がある。そのため、土にカビ等が生えてしまった場合には、植物を鉢から取り出して、新しい土で植え込むといった植え直しが必要となり、非常に手間が掛かる。【０００４】
本発明は、上記実情に鑑みてなされたものであって、低照度条件下においても、弱光ストレスを低減することが可能であり、尚且つ土に雑菌やカビなどの有害微生物が繁殖し難い植物の低照度栽培方法を提供するものである。
【課題を解決するための手段】
【０００５】
本発明の第１特徴構成は、植物に植物生長促進剤を与えて、低照度条件下において植物を栽培する低照度栽培方法であって、前記植物生長促進剤が、クエン酸、リンゴ酸、コハク酸からなる群から少なくとも１つ選択されるものを含む低照度栽培方法である点にある。【０００６】
〔作用及び効果〕
通常は、植物を低照度条件下で栽培すると、弱光ストレスを受けて光合成による炭酸ガス固定能が低下するので、エネルギー源（糖類）の合成が妨げられ、その結果、生育に必要なエネルギー（ＡＴＰ）を生成することができず植物の生育が阻害される。
しかしながら、ＴＣＡ回路（ＡＴＰを生成し得る代謝経路（呼吸）の一部）を構成する有機酸群に属するクエン酸、リンゴ酸及びコハク酸のうち少なくともいずれか一つ（以下、ＴＣＡ有機酸類と記す）を含む植物生長促進剤を植物に与えることによって、植物がＴＣＡ有機酸類を吸収し、糖類の替わりにＴＣＡ有機酸類をエネルギー源として使用してＡＴＰを生成することができるので、本来のエネルギー源である糖類が植物体内で不足していても、その生育が維持・促進され得る。
さらに、ＴＣＡ有機酸類はいずれも高い酸性緩衝能を有し、土壌にＴＣＡ有機酸類を加えて酸性条件下にすることによって、雑菌やカビ（有害微生物）の繁殖を抑え、土壌を静菌状態にすることもできる。その結果、有害微生物を媒体にした様々な病気の発生が防止されるので、植物の生育がさらに維持・促進され、植え直し等の作業の必要も無くなる。
尚、このとき植物の耐酸性が問題となるが、上述のＴＣＡ有機酸類は、植物の耐酸性を増強し得るので問題は生じ難い。
おそらく、ＴＣＡ有機酸類が根の根細胞に吸収されて、上述のように根細胞内でもＡＴＰの生成が促進され、根細胞の細胞膜に存在するＡＴＰプロトンポンプ（プロトン−ＡＴＰアーゼ）が、その生成されたＡＴＰを使用して、酸性条件下で根細胞から受動吸収される水素イオンを細胞外にくみだし（能動輸送）、細胞内を常に中性ｐＨに維持しようとする活性が高くなるためであると考えられる。
尚、ＴＣＡ有機酸類は酸味料、調味料、安定剤、強化剤などの食品添加物としても一般に市販・使用されており、安価で且つ容易に入手することができる。【０００７】
本発明の第２特徴構成は、前記植物生長促進剤にさらに糖類を含有させてある点にある。【０００８】
〔作用及び効果〕
前記ＴＣＡ有機酸類と共に与えられた糖類は、植物により吸収されて、エネルギー源として解糖系を経て代謝されるので、より一層、植物の生育が維持・促進され得ると共に、植物の耐酸性をより高めることが可能である。【０００９】
本発明の第３特徴構成は、前記糖類が、ブドウ糖、果糖、トレハロース、ショ糖からなる群から少なくとも１つ選択される点にある。【００１０】
〔作用及び効果〕
糖類が、ブドウ糖、果糖、トレハロース、ショ糖からなる群から少なくとも１つ選択されるので、これらの糖類は、一般に市販されており、安価で且つ容易に入手することができる。【００１１】
本発明の第４特徴構成は、請求項１〜３のいずれか１項に記載される低照度栽培方法において使用可能な植物生長促進剤である点にある。
〔作用及び効果〕
本発明の植物生長促進剤を植物に与えるだけで、請求項１〜３のいずれか１項に記載される作用及び効果を有する低照度栽培方法を容易に実施することができる。【００１２】
本発明の実施形態においては、植物を室内等の低照度条件下で栽培するために、以下に記載される植物生長促進剤を、植物の葉や茎等に直接与えたり、あるいはその植物が生育する土壌等に与えることにより行う。そこで、本発明を実施するための各条件を以下に示す。【００１３】
（植物）
本発明を適用可能な植物は、例えば、ポトス、パキラ、ゴムの木、ドラセナ、シェフレラ、ディジゴセカ、チャメドリア、コルディリネ、ステノカーパス、観音竹、シルクジャスミン、オーガスタ、シナモン、月桂樹、ベンジャミン等の観葉植物、ハイビスカスやアサガオ等の園芸植物、あるいは、各種の穀物、茶、野菜、果物といった農作物等が挙げられるが、特にこれらに限定されるものではない。【００１４】
（光条件）
本発明は、通常の照度条件下（栽培する植物の生育阻害が発生しない光条件）においてだけでなく、低照度条件下（栽培する植物について生育阻害が発生し得るような光条件）においても実施することが可能である。詳細には、低照度とは、５０ｌｕｘ〜５００ｌｕｘの明るさをいう。【００１５】
（植物生長促進剤）
本発明における植物生長促進剤とは、少なくとも以下に記載される有機酸を含み、低照度条件下においても、植物の弱光ストレスを低減することが可能であり、尚且つ土の中の有害微生物（雑菌やカビなど）の繁殖を抑制し得る薬剤を意味する。
本発明における植物生長促進剤は、後述する各種の有機酸をそれぞれ単独で使用する場合（例えば、クエン酸そのものを植物生長促進剤とする場合）に限らず、当該有機酸の他に、必要に応じて、後述する各種糖類等をさらに含む混合物として使用する場合（例えば、クエン酸の他にショ糖等をさらに含む混合物を植物生長促進剤とする場合）も含まれる。
尚、本発明における植物生長促進剤は、例えば、後述の有機酸や糖類が所定の濃度となるように、その適量を、蒸留水や適当な無機塩類を含む溶液等に溶かして調製することが可能である。その際、適当な試薬（アルカリ又は酸）を添加してそのｐＨを調整するようにしても良い。【００１６】
（有機酸）
本発明に適用可能な有機酸は、解糖系、ＴＣＡ回路、又はグリオキシル酸回路といった植物の代謝経路を構成し得、尚且つ植物が吸収可能な有機酸であり、好ましくは、ＴＣＡ回路又はグリオキシル酸回路を構成する有機酸群に属するクエン酸、リンゴ酸、コハク酸であるが、低照度条件下においても、植物の生育を維持・促進し得る有機酸であれば、特にこれらに限定されるものではない。
尚、これらの有機酸は、単独でか、または任意に組み合わせて使用することも可能である。特にこれらの酸を単独で使用する場合は、０．０５ｍＭ〜１０ｍＭの濃度範囲とするのが好ましい。【００１７】
（糖類）
本発明に適用可能な糖類としては、例えば、ブドウ糖、果糖、トレハロース、ショ糖等が挙げられるが、植物が吸収可能であり、尚且つ低照度条件下においても、植物の生育を維持・促進し得る糖類であれば、これらに限定されるものではない。尚、これらの糖類は、単独でか、または任意に組み合わせて使用することも可能である。
特に、これらの糖を単独で使用する場合は、１．５〜３％の濃度範囲とするのが好ましい。【００１８】
（土壌）
本発明を適用可能な土の種類としては、例えば、赤玉土、鹿沼土、黒土、赤土、粘質土、腐葉土、ピートモス、パーライト、バーミキュライト、クンタン、レカトン（ハイドロボール等が挙げられるが、特にこれらに限定されるものではない。
また、土壌のｐＨは、土壌中の雑菌やカビ等（有害微生物）を殺菌又はそれらの増殖を抑制し得るｐＨに上記植物生長促進剤を用いて調整する。そのｐＨ範囲は、好ましくは、ｐＨ２．７〜ｐＨ６．５である。【００１９】
（その他の条件）
生育温度については、本発明を適用する植物が生育可能で且つ生育阻害を受けない適度な温度であるならば、特に限定されるものではない。
また、水やりは、本発明を適用する植物が生育可能で且つ生育阻害（水不足による乾燥や、水を与え過ぎることによる根腐れなど）を受けないように適宜行う。【００２０】
（実施方法）
本発明の低照度栽培方法を実施するには、上記植物生長促進剤に含まれる有機酸や糖類等の有効成分が、植物に吸収され得るような栽培方法であるならば、その栽培方法は任意である。例えば、上記植物生長促進剤を葉や茎に与える茎葉処理による栽培や、上記植物生長促進剤を植物が生育する土壌に与える土壌処理による栽培等が可能である。また、水耕栽培として根から吸収させることも可能である。
また、本発明の植物の栽培方法を実施する際には、上記植物生長促進剤の他に、必要に応じて公知の各種農薬、肥料（有機肥料又は無機肥料）、植物活性剤などをさらにその土壌や水耕液等に添加して実施するようにしても良い。【００２１】
〔その他の実施形態〕
１．本発明の低照度栽培方法を実施する際、予め、少なくとも上記有機酸を含み、必要に応じて上記糖類、無機塩類、公知の各種農薬、肥料（有機肥料又は無機肥料）、植物活性剤等をさらに含むような植物生長促進剤を調製し、それを適宜植物に与えるようにしても良い。
【発明を実施するための最良の形態】
【００２２】
次に実施例を挙げて本発明を説明するが、本発明はこれらの実施例に限定されるものではない。
（実施例１）低照度栽培実験
植物としてアサガオ（Pharbitis nil  var．Violet）芽生え（発芽後７日目）を用いた。実験はインキュベーター内（低温２３℃）で、一日のうち、明期（２００ルックス）１４時間、暗期１０時間のサイクルで行った。アサガオ種子（京都・丸種（株）で購入）を黒プラスチック鉢（市販品の１０５号：直径１０５ｃｍ、高さ９０ｃｍ）に蒔種した。培地は、バーミキュライトを用いた（鉢中のバーミキュライトの湿重量３５０ｇ）。
試験液は１回２５０ｍＬを４日に一度一つの鉢に与えた。試験データとして、１鉢中にアサガオ芽生え（苗）１０固体を生育させたものを用いた。試験開始後に、芽生えが倒伏した個数を開始後日数毎に計測した。倒伏基準として、苗の下胚軸（子葉の下の葉軸）が倒れて子葉が培地に接触したとき、または子葉全体が枯死したときとし、倒伏した苗はそのつど除去した。尚、効果については、倒伏日数の平均値で評価した。平均値は、以下のようにして算出した。例えば、９日目に３固体、１０日目に４固体、１１日目に３固体がそれぞれ倒伏した場合であれば、平均値＝（９×３＋１０×４＋１１×３）/１０＝１０．０である。【００２３】
（１）低照度下でのアサガオ苗の倒伏日数に関する有機酸の効果
それぞれ異なる有機酸を含む８種類の試験液（２５０ｍＬ）を以下のようにして調製した。
８種類の有機酸（アミノレブリン酸、クエン酸、リンゴ酸、コハク酸、酒石酸、酢酸、シュウ酸、乳酸）を用意し、上記各種有機酸をそれぞれ、液体肥料（ビガーライフＶ）の５００倍希釈液（ビガーライフＶを蒸留水で５００倍に希釈した液）に溶かした後、水酸化カリウムでｐＨを５．０に調整した。尚、各試験液における有機酸の濃度は全て５ｍＭとした。
また、ビガーライフＶの５００倍希釈液を対照試験液とした。
上記８種類の試験液及び対照試験液を用いて、上述の低照度栽培実験を実施した。結果を以下の表１に示す。尚、表１の上段には、各試験液に含まれる有機酸が記載されている（対照試験液には有機酸は含まれていない）。また、表１の下段には、測定されたアサガオ苗の倒伏日数の平均値（日数）が記載されており、その平均値が高いほど、より長期にわたってアサガオが生育したことを示す（即ち、高い平均値を示す試験液ほど、本低照度栽培に有効であることを示す）。【００２４】
【表１】
2007029775.tif 000002
【００２５】
表１に示される結果から、８種類の有機酸のうち、クエン酸、リンゴ酸、又はコハク酸を含む試験液が、対照試験液よりも高い値（日数）を示しており、これらの有機酸（クエン酸、リンゴ酸、コハク酸）が本低照度栽培において有効であることが判明した。
尚、結果は示さないが、各有機酸において０．０５〜１０ｍＭの濃度範囲であれば、上述した結果と同様の結果が得られた。【００２６】
（２）低照度下でのアサガオ苗の倒伏日数に関する糖類の効果
それぞれ異なる糖類を含む６種類の試験液（２５０ｍＬ）を以下のようにして調製した。
６種類の糖類（ショ糖、ブドウ糖、果糖、トレハロース、パラチノース、キシロース）を用意し、上記各種糖類をそれぞれ、液体肥料（ビガーライフＶ：）の５００倍希釈液（ビガーライフＶを蒸留水で５００倍に希釈した液）に溶かした。尚、各試験液における糖類の濃度は全て３％とした。
また、ビガーライフＶの５００倍希釈液を対照試験液とした。【００２７】
さらに、クエン酸とショ糖の両方を含む試験液を以下のようにして調製した。
適量のクエン酸及びショ糖を、液体肥料（ビガーライフＶ：）の５００倍希釈液（ビガーライフＶを蒸留水で５００倍に希釈した液）に溶かした後、水酸化カリウムでｐＨ５．０に調整した。尚、本試験液におけるクエン酸の濃度を５ｍＭとし、ショ糖の濃度を３％とした。【００２８】
上記８種類の試験液及び対照試験液を用いて、上述の低照度栽培実験を実施した。結果を以下の表２に示す。
尚、表２の上段には、各試験液に含まれる糖類が記載されている（対照試験液には糖類は含まれていない）。また、表２の下段には、測定されたアサガオ苗の倒伏日数の平均値（日数）が記載されており、その平均値が高いほど、より長期にわたってアサガオが生育したことを示す（即ち、高い平均値を示す試験液ほど、本低照度栽培に有効であることを示す）。【００２９】
【表２】
2007029775.tif 000003
【００３０】
表２に示される結果から、６種類全ての試験液が、対照試験液を使用した場合よりも高い値（日数）を示しており、その中でもショ糖、ブドウ糖、果糖、トレハロースが本低照度栽培において特に有効であることが判明した。
また、クエン酸とショ糖の両方を含む試験液は、それぞれを単独で含む試験液よりもさらに高い値（日数）を示しており、低照度栽培下の植物に特定の有機酸と糖類とを組み合わせて与えることによって、それらを単独で与えた場合よりも植物の生育がより一層促されることが判明した。【００３１】
尚、結果は示さないが、各糖類において１．５〜３％の濃度範囲であれば、上述した結果と同様の結果が得られた。【００３２】
（実施例２）
低照度栽培において従来から使用されているアミノレブリン酸、並びに上記実施例１において最も高い効果を示したクエン酸及びショ糖を用い、さらに、植物として観葉植物のベンジャミン（Ficus  benzyamina）を用いて低照度栽培を実施した。【００３３】
無機溶液（ビガーライフＶの１０００倍希釈液）にアミノレブリン酸、クエン酸、ショ糖をそれぞれ適宜加えて、３種類の試薬を調製し、無機溶液を対照試薬とした（試薬１；無機溶液にアミノレブリン酸を溶かしたもの、試薬２；無機溶液にクエン酸を溶かしたもの、試薬３；無機溶液にクエン酸とショ糖とを溶かしたもの）。【００３４】
尚、各試薬において、クエン酸濃度を５ｍＭとし、ショ糖濃度を３％とし、アミノレブリン酸の濃度を１００ｐｐｍとした。クエン酸を含有する試薬（試薬２及び試薬３）については、水酸化カリウムでその試薬のｐＨを５．０に調整した。【００３５】
上記試薬と、観葉植物のベンジャミンを用いて、低照度栽培を以下の２種類の方法で実施した。
通常栽培：市販のベンジャミン４号鉢を４つ用意し、週に一度（月曜日）上記４試薬（試薬１〜３、及び対照試薬）５０ｍＬをそれぞれ施用し、水やりは、水５０ｍＬを週に２回（水曜日と金曜日）実施した。尚、光条件は、温室内遮光２００ｌｕｘ以下で実施した。
噴霧栽培：市販のベンジャミン４号鉢を２つ用意し、無機溶液５０ｍＬを各鉢に与えた後、上記２試薬（試薬１及び試薬２）を、それぞれベンジャミン１株当り１０ｍＬの割合で、ベンジャミンにスプレー噴霧した。尚、他の条件（水やり及び光条件）は、上記通常栽培と同様とした。【００３６】
各試薬の効果については、各鉢毎に葉の枚数を計測し、１週間毎に葉の残存率（％）を算出して評価した。結果を以下の表３に示す。尚、葉の残存率（％）は、「残存率（％）＝計測されたベンジャミンの葉の枚数／低照度栽培前（初め）のベンジャミンの葉の枚数×１００」として算出され、その値が高いほど、より多くの葉が落葉せずに残存し、より長期にわたってベンジャミンが生育したことを示す（即ち、高い残存率を示す試薬ほど、本低照度栽培に有効であることを示す）。【００３７】
【表３】
2007029775.tif 000004
【００３８】
表３に示されるように、試薬１（無機溶液＋アミノレブリン酸）に関しては、４週間後の残存率（％）で比較してみると、通常栽培及び噴霧栽培のいずれにおいても、対照試薬（無機溶液）よりも残存率（％）が低く（対照試薬４６．５％に対し、通常栽培では３３．９％、噴霧栽培では３０．７％）、本低照度栽培においては、アミノレブリン酸は有効に機能するものではなかった。【００３９】
試薬２（無機溶液＋クエン酸）に関しては、４週間後の残存率（％）で比較してみると、噴霧栽培においては、その残存率（％）が対照試薬（無機溶液）と略同じ値を示し（対照試薬４６．５％に対し、噴霧栽培では４５．８％）、対照試薬（無機溶液）と同等の効果が得られた。また通常栽培においては、その残存率（％）は、対照試薬（無機溶液）よりも高く（対照試薬４６．５％に対し、通常栽培では５０．０％）、同等以上の効果が得られた。従って、クエン酸が本低照度栽培において有効であることが判明した。【００４０】
また、試薬３（無機溶液＋クエン酸＋ショ糖）に関しては、その通常栽培において、特に４週間後の残存率（％）で比較してみると、その残存率（％）は、対照試薬（無機溶液）や試薬２（無機溶液＋クエン酸）と比べてかなり高い値を示した（対照試薬（４６．５％）及び試薬２（５０．０％）に対し、８５．９％）。【００４１】
即ち、試薬３は、クエン酸を単独で含む試薬２よりもさらに高い残存率（％）を示しており、本低照度栽培においても、上記実施例１と同様に、低照度栽培下の植物に特定の有機酸と糖類とを組み合わせて与えることによって、それらを単独で与えた場合よりも植物の生育がより一層促される可能性があることが判明した。【００４２】
（実施例３）
市販されている５種の観葉植物（チャメドレア、シェフレラ、ディジゴセカ、シナモン、観音竹、シルクジャスミン）の１０号鉢を、１種類の観葉植物につき、対照区用と試験区用の２つの鉢を用意し、５００ｌｕｘ以下の室内で低照度栽培を行った。
施用する試薬としては、適量のクエン酸及びショ糖を水道水に溶かして濃度をそれぞれ、５ｍＭクエン酸及び３％ショ糖とした後、水酸化カリウムでｐＨ５．０に調整したものを使用した。【００４３】
対照区は水道水を１週間に１回、１鉢当り５００ｍＬ施用し、試験区は１週間ごとに水道水と上記試薬を交互に１鉢当り５００ｍＬ施用した。
試薬の施用効果（本低照度栽培において植物の生育を維持・促進し得る効果）については、上記実施例２と同様に所定期間経過後、各鉢毎に葉の枚数を計測し、葉の残存率（％）を算出して評価した。【００４４】
その結果、チャメドレアでは、３．５ヶ月後の葉残存率が対照区で８５％に対し試験区では１０３％であり施用効果が認められた。シェフレラでは、３．５ヶ月後の葉残存率が対照区で０％に対し試験区では２２％であり施用効果が認められた。ディジゴセカでは、２．５ヶ月後の葉残存率が対照区で１４％に対し試験区では８６％であり施用効果が認められた。シナモンでは、５ヵ月後の葉残存率が対照区で５１％に対して試験区では９７％であり施用効果が認められた。観音竹やシルクジャスミンにおいても１ヵ月後では、試験区の方が対照区よりも葉が残存しており施用効果が認められた。なお、どの試験区においてもカビ等の有害微生物の繁殖は認められなかった。【００４５】
（実施例４）
市販されているポトス４号鉢を２つ（対照区用及び試験区用）用意し、２００ｌｕｘの室内で低照度栽培を行った。
施用する試薬としては、適量のクエン酸及びショ糖を水道水に溶かして濃度をそれぞれ、２．５ｍＭクエン酸及び１．５％ショ糖とした後、水酸化カリウムでｐＨ５．０に調整したものを使用した。
対照区は水道水を１週間に１回、１鉢当り１００ｍＬ施用し、試験区は上記試薬を１週間に１回、１鉢当り１００ｍＬ施用した。【００４６】
試薬の施用効果（本低照度栽培において植物の生育を維持・促進し得る効果）については、上記実施例２と同様に所定期間経過後、各鉢毎に葉の枚数を計測し、葉の残存率（％）を算出して評価した。
その結果、１０ヵ月後の葉残存率が対照区で１０％に対し試験区では８５％であり施用効果が認められた。【００４７】
（実施例５）
市販されている月桂樹１０号鉢を２つ（対照区用及び試験区用）用意し、２００ｌｕｘの室内で低照度栽培を行った。
施用する試薬としては、適量のクエン酸及びショ糖を水道水に溶かして濃度をそれぞれ、５ｍＭクエン酸及び３％ショ糖とした後、水酸化カリウムでｐＨ５．０に調整したものを使用した。【００４８】
対照区は水道水を１週間に１回、１鉢当り５００ｍＬ施用し、試験区は１週間ごとに水道水と上記試薬を交互に１鉢当り５００ｍＬ施用した。
試薬の施用効果（本低照度栽培において植物の生育を維持・促進し得る効果）については、上記実施例２と同様に所定期間経過後、各鉢毎に葉の枚数を計測し、葉の残存率（％）を算出して評価した。
その結果、１０ヵ月後の葉残存率が対照区で２０％に対し試験区では５０％であり施用効果が認められた。【００４９】
（実施例６）
市販されているハイビスカス５号鉢を２つ（対照区用及び試験区用）用意し、２００ｌｕｘの室内で低照度栽培を行った。
施用する試薬としては、適量のクエン酸及びショ糖を水道水に溶かして濃度をそれぞれ、５ｍＭクエン酸及び３％ショ糖とした後、水酸化カリウムでｐＨ５．０に調整したものを使用した。【００５０】
対照区は水道水を１週間に１回、１鉢当り２００ｍＬ施用し、試験区は１週間ごとに水道水と上記試薬を交互に１鉢当り２００ｍＬ施用した。
試薬の施用効果（本低照度栽培において植物の生育を維持・促進し得る効果）については、上記実施例２と同様に所定期間経過後、各鉢毎に葉の枚数を計測し、葉の残存率（％）を算出して評価した。
その結果、２ヵ月後の葉残存率が対照区で２０％に対し試験区では８５％であり施用効果が認められた。
【産業上の利用可能性】
【００５１】
本発明は、低照度条件下において植物を栽培する低照度栽培方法に利用できる。
【国際調査報告】
2007029775.tif 000005
2007029775.tif 000006
2007029775.tif 000007
2007029775.tif 000008